(57)【要約】【課題】  ベビーカーの三つ折り操作時において折り畳み操作をスムースに行うことができるようにしたベビーカーを得ること。【解決手段】  ベビーカー本体に取り付けられるベースシートの座板部２７ａの下面側前端部にベースプレート３１の前部を連結するとともに、そのベースプレート３１の中間部をベビーカー本体、例えば上部連結ステー２５に取り付け、上記ベースプレート３１の上記ベビーカー本体への取付部より後方側を座板部支持用の支持ベルト２８で支持するようにした。【選択図】  図５
2007076414.tif 000002
【特許請求の範囲】
【請求項１】
ベビーカー本体に取り付けられるベースシートの座板部の下面側前端部にベースプレートの前部を連結するとともに、そのベースプレートの中間部をベビーカー本体に取り付け、上記ベビーカー本体への取付部より後方側を座板部支持用の支持ベルトで支持するようにしたことを特徴とする、ベビーカー。
【請求項２】
ベースプレートの中間部がベビーカー本体の上部連結ステーに取り付けられ、そのベースプレートの上部連結ステーより後方側に座板部支持用の支持ベルトが装着されていることを特徴とする、請求項１記載のベビーカー。
【発明の詳細な説明】
【技術分野】
【０００１】
本発明は、ベビーカーに係り、特に背部が座面部に対して揺動可能に連結されているベースシートをベビーカー本体に取り付けるとともに、上記ベビーカー本体を平面視コ字状の三つ折り状態にスムースに折り畳むことができるようにしたベビーカーに関する。
【背景技術】
【０００２】
図１は、上記乳幼児用のベースシートをベビーカー本体に装着したベビーカーの概略構成を示す一部切り欠き斜視図であり、前輪１１を有する左右一対の前脚１２、後輪１３を有する左右一対の後脚１４、ほぼＵ字状に屈曲された手押し杆１５、左右一対のアームレスト１６、及びそのアームレスト１６の一端がそれぞれ枢着された、互いに平行に延びる左右２本のパイプ１７によりベビーカー本体が構成されている。
【０００３】
上記各アームレスト１６の前部には前脚１２の頂端部が枢着されており、そのアームレスト１６の先端部間には弧状の屈曲可能なガードアーム１８が着脱可能に掛け渡されている。また、左右の後脚１４の頂端部もアームレスト１６の中間部に枢着されており、その後脚１４の中間部にはく字状に屈曲されたブラッケット１９の一端が枢着されている。そして、上記ブラッケット１９の中間位置が前記パイプ１７の下端部にそれぞれ枢着されており、ベビーカーの展開状態において、上記ブラッケット１９の他端に形成された係合部に上記パイプ１７に摺動可能に装着されたロック部材２０が係合し、その展開状態を維持するようにしてある。
【０００４】
一方、上記左右の前脚１２は足乗せ板２１を有する前脚連結ステー２２によって連結されており、左右の後脚１４は後脚連結ステー２３により連結されている。さらに各前脚１２の中間部には側部フレーム２４の前端が枢着され、その側部フレーム２４の後端が上記ブラッケット１９及び手押し杆１５の下端部とともにパイプ１７の先端部に枢着され、また、左右の側部フレーム２４の中間部が左右方向に延びる上部連結ステー２５によって連結されている。
【０００５】
しかして、パイプ１７の下端に設けられているロック部材２０をブラッケット１９の上端に設けられている係止部に係合することによって、ベビーカーが使用可能な展開状態に保持される。一方、手押し杆１５に設けられている操作装置２６を操作することにより上記ロック部材２０とブラッケット１９との係合が離脱されると、アームレスト１６及び側部フレーム２４が前記パイプ１７に対して各枢着点を中心として上方に揺動可能となり、前脚１２と後脚１４とがほぼ平行状態に揺動され、携帯に便利なように２つ折り状態に折り畳むことができる。
【０００６】
さらに、手押し杆１５、前脚連結ステー２２、後脚連結ステー２３、及び上部連結ステー２５は、２つの同一垂直面内において各中間部の２箇所がジョイントにより折り畳み可能としてある。したがって、上述のように前脚１２と後脚１４を平行状態に折り畳んだ後手押し杆１５の左右のパイプを前方に移動させると、上記手押し杆１５、前脚連結ステー２２、後脚連結ステー２３、及び上部連結ステー２５の両端部が上記各ジョイントにより前方に折り曲げられ、ベビーカーを平面視コ字状に三つ折り状態に折り畳むことができる。
【０００７】
上述のように形成されたベビーカー本体には、座板部及び背当て部を有するベースシート２７が装着されている。すなわち、上記ベースシート２７は、その座板部２７ａが前記上部連結ステー２５上に取り付けられるとともに、上記上部連結ステー２５より後方側が左右の側部フレーム２４間に張設された支持ベルト２８により支持され、背当て部２７ｂの左右の側辺部が左右のパイプ１７の前記アームレスト１６の枢着点より上方部に装着されている。そして、上記ベースシート２７上に必要に応じて縫製品からなるベビーシート（図示せず）を載置装着し、そのベビーシート上に幼児を座らせまたは寝かせて、ベビーカーの移動を行う。なお、図中、符号２９は足部支持帯取付杆である。
【発明の開示】
【発明が解決しようとする課題】
【０００８】
ところで、図２は上記従来のベビーカーにおける三つ折り状態のベビーカーの一部切り欠き側面図であり、ベビーカー本体を三つ折り状態にする場合には、上記上部連結ステー２５や前脚連結ステー２２によりベースシート２７等が後方側に押し出される方向に移動するが、その際支持ベルト２８、及びベースシート２７における座板部２７ａと背当て部２７ｂとの連結部間に介在されるベビーシートが上記三つ折り操作に対する抵抗となり、座板部２７ａと背当て部２７ｂとの連結部（点線Ａで囲まれた部分）が突っ張る形になり、折り畳み操作をスムースに行うことができないことがある等の問題がある。
【０００９】
そこで、図３に示すように、ベースシート２７における座板部２７ａを背当て部２７ｂに対して左右方向に延びる互いに平行な２個のヒンジ３０ａ、３０ｂにより接続し、ベビーカーを三つ折り状態にした時座板部２７ａが上記背当て部２７ｂに対して２個のヒンジ３０ａ、３０ｂにより屈曲されるようにしたものも提案されている。しかしながら、上記２個のヒンジ３０ａ、３０ｂによりベースシート２７が屈曲されるようにしたものにおいては、折り畳み時の固さは解消されるけれども、ベビーカーの展開時にはヒンジが２列ある状態となるので座板部２７ａと背当て部２７ｂとの接合部が安定せず、座部の安定度に欠ける等の問題がある。
【００１０】
本発明は、このような点に鑑み、三つ折り操作時において折り畳み操作をスムースに行うことができるようにしたベビーカーを得ることを目的とする。
【課題を解決するための手段】
【００１１】
本発明は、ベビーカー本体に取り付けられるベースシートの座板部の下面側前端部にベースプレートの前部を連結するとともに、そのベースプレートの中間部をベビーカー本体に取り付け、上記ベビーカー本体への取付部より後方側を座板部支持用の支持ベルトで支持するようにしたことを特徴とする。
【発明の効果】
【００１２】
本発明は、上述のように、ベビーカー本体に取り付けられたベースプレートの前部にベースシートの座板部の下面側前端部を連結したので、ベビーカー本体を三つ折り状態に折り畳んだ場合、上記座板部がその後部がベースシートから離間するように揺動することができ、座板部と背当て部との連結部間に介在されるベビーシートによる上記三つ折り操作に対する抵抗が軽減され、ベビーカーの三つ折り状態への折り畳み操作をスムースに行うことができる。
【発明を実施するための最良の形態】
【００１３】
図４は、本発明におけるベースシート２７の概略構成を示す背面図であり、座板部２７ａと背当て部２７ｂが一体的に連結されており、その連結部において互いに折り畳み可能としてある。上記背当て部２７ｂの両側にはベビーカー本体の左右のパイプ１７への取付片２７ｃが一体的に形成されている。
【００１４】
一方、上記座板部２７ａの下面側にはベースプレート３１が配設されており、そのベースプレート３１の前端部が上記座板部２７ａの下面側前端部に連結されている。上記ベースプレート３１のほぼ中央位置には、上記ベースプレート３１をベビーカー本体の上部連結ステー２５に連結する連結帯３２が設けられ、また、後端部寄りには左右の側部フレーム２４間に張設される支持ベルト２８が連結帯３３により取り付けられ、さらに、上記座板部２７ａの前端部には足部支持帯取付杆２９への連結帯３４が設けられている。
【００１５】
そこで、上記座板部２７ａの下面側前端部に連結されているベースプレート３１を連結帯３２によりベビーカー本体の上部連結ステー２５に装着するとともに、上記支持ベルト２８を左右の側部ステー２４間に張設することにより座板部２７ａの後部を支持し、さらに連結帯３４により座板部２７ａを足部支持帯取付杆２９へ連結し、一方、前記背当て部２７ｂの左右に設けられた取付片２７ｃをベビーカー本体の左右のパイプ１７に卷装することにより、ベースシート２７がベビーカー本体に装着されている。
【００１６】
しかして、上述のようにしてベースシート２７を装着したベビーカー本体を三つ折り状態に折り畳んだ場合には、図５に示すように、座板部２７ａが、その座板部２７ａの後部における背当て部２７ｂとの連結部がベースプレート３１から離間する方向に揺動することができ、座板部２７ａの後部とベースプレート３１との間に間隙が生じる。したがって。上記ベビーカー本体を三つ折り状態に折り畳んだ場合、座板部２７ａと背当て部２７ｂとの連結部が直接ベビーカー本体の前方側に引っ張られることがなく、座板部２７ａの動きに或る程度自由度が生じ、座板部２７ａと背当て部２７ｂとの連結部間に介在されるベビーシートによって生じる上記三つ折り操作に対する抵抗が軽減され、ベビーカーの三つ折り状態への折り畳み操作をスムースに行うことができる。すなわち、従来の三つ折り構造を変更することなく、ベースシート２７とベビーカー本体との連結構造を変更するだけで、ベビーカー本体の三つ折り操作をスムース化することができる。
【図面の簡単な説明】
【００１７】
【図１】乳幼児用のベースシートをベビーカー本体に装着したベビーカーの概略構成を示す一部切り欠き斜視図。
【図２】従来のベビーカーの三つ折り状態を示す一部切り欠き側面図。
【図３】従来の他のベビーカーの三つ折り状態を示す一部切り欠き側面図。
【図４】本発明におけるベースシート２７の概略構成を示す背面図。
【図５】本発明におけるベビーカー本体の三つ折り状態を示す一部切り欠き側面図。
【符号の説明】
【００１８】
１１  前輪
１３  後輪
２４  側部ステー
２５  上部連結ステー
２７  ベースシート
２７ａ  座板部
２７ｂ  背当て部
２８  支持ベルト
３１  ベースプレート
３２、３３、３４  連結帯
【図１】
2007076414.tif 000003
【図２】
2007076414.tif 000004
【図３】
2007076414.tif 000005
【図４】
2007076414.tif 000006
【図５】
2007076414.tif 000007